(57)【要約】【課題】制御基板に対する不正行為をより確実に防止可能な基板ケースユニットを提供する。【解決手段】基板ケースユニットは、ボトムケースに形成されたボトム側係合部１５０と、トップケースに形成されケース閉止状態においてボトム側係合部１５０と係合するトップ側係合部１６０と、ボトム側係合部１５０およびトップ側係合部１６０にそれぞれ形成されたボトム側挿入部１５１およびトップ側挿入部１６２に挿入される平板形状のロック部材１４５とを有し、ボトム側およびトップ側挿入部１５１，１６２に挿入されたロック部材１４５がボトム側およびトップ側挿入部１５１，１６２内のケース開閉方向の壁面に係合することにより、ボトムケースに対してトップケースが開放方向にスライド移動することを規制するロック機構１４０を備える。【選択図】図１２
2015202154.tif 000002
【特許請求の範囲】
【請求項１】
第１ケース部材および前記第１ケース部材に着脱自在に取り付けられる第２ケース部材を備え、前記第１ケース部材に対して前記第２ケース部材を閉止方向にスライド移動させることにより前記第２ケース部材が前記第１ケース部材に閉止状態で保持され、前記第１ケース部材および前記第２ケース部材に囲まれて形成されるケース内部に制御基板を収容する基板ケースユニットにおいて、
前記第１ケース部材に形成された第１係合部と、前記第２ケース部材に形成され前記閉止状態において前記第１係合部と係合する第２係合部と、前記第１係合部および前記第２係合部にそれぞれ形成された第１挿入部および第２挿入部に挿入される平板形状のロック部材とを有し、前記第１および第２挿入部に挿入された前記ロック部材が前記第１および第２挿入部内の前記スライド移動方向の壁面に係合することにより、前記第１ケース部材に対して前記第２ケース部材が開放方向にスライド移動することを規制するロック機構を備えることを特徴とする基板ケースユニット。
【請求項２】
前記第１挿入部は、挿入される前記ロック部材に押されて撓み、その復元力により前記ロック部材を挿入方向に対して直交方向にずれた位置に配置させる押圧部を有することを特徴とする請求項１に記載の基板ケースユニット。
【請求項３】
前記ロック機構は、前記第２挿入部を覆って前記第２係合部に取り付けられるキャップ部材を有し、
前記キャップ部材は、前記ロック部材を押して前記第１および第２挿入部に挿入させる脚部を有することを特徴とする請求項１または２に記載の基板ケースユニット。
【請求項４】
前記ロック機構は、前記第１挿入部に挿入されて前記第１挿入部の内面を覆う金属製のガード部材を有することを特徴とする請求項１〜３のいずれかに記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。
【０００３】
このような不正行為を防止して公正な遊技に供するため、制御基板は、ともに透明な樹脂材料を用いて形成されたケース本体とその前方に開閉可能に装着されるケース蓋とからなる基板ケース内に収容されている。また、基板ケースには、ケース本体に対してケース蓋を閉止状態で装着したときに、ケース本体の側に形成した係合部とケース蓋の側に形成した係合部とが係合連結することで基板ケースを閉止状態でロックし、ケース蓋（もしくはケース本体）とその係合部との間を繋ぐ連結部をニッパー等の工具を用いて切り離さない限り基板ケースを開放不能にする不正開放防止機構（ロック機構）が設けられている（例えば、特許文献１を参照）。
【先行技術文献】
【特許文献】
【０００４】
【特許文献１】特開２００４‐６５２８０号公報
【発明の概要】
【発明が解決しようとする課題】
【０００５】
しかしながら、制御基板に対する不正行為は巧妙化しており、このような不正行為をより確実に防止する対策が求められている。
【０００６】
本発明は、このような課題に鑑みてなされたものであり、制御基板に対する不正行為をより確実に防止可能な基板ケースユニットを提供することを目的とする。
【課題を解決するための手段】
【０００７】
このような目的達成のために、本発明に係る基板ケースユニットは、第１ケース部材（例えば、実施形態におけるボトムケース１２０）および前記第１ケース部材に着脱自在に取り付けられる第２ケース部材（例えば、実施形態におけるトップケース１３０）を備え、前記第１ケース部材に対して前記第２ケース部材を閉止方向にスライド移動させることにより前記第２ケース部材が前記第１ケース部材に閉止状態で保持され、前記第１ケース部材および前記第２ケース部材に囲まれて形成されるケース内部に制御基板を収容するように構成される。その上で、前記第１ケース部材に形成された第１係合部（例えば、実施形態におけるボトム側係合部１５０）と、前記第２ケース部材に形成され前記閉止状態において前記第１係合部と係合する第２係合部（例えば、実施形態におけるトップ側係合部１６０）と、前記第１係合部および前記第２係合部にそれぞれ形成された第１挿入部（例えば、実施形態におけるボトム側挿入部１５１）および第２挿入部（例えば、実施形態におけるトップ側挿入部１６２）に挿入される平板形状のロック部材とを有し、前記第１および第２挿入部に挿入された前記ロック部材が前記第１および第２挿入部内の前記スライド移動方向の壁面に係合することにより、前記第１ケース部材に対して前記第２ケース部材が開放方向にスライド移動することを規制するロック機構を備える。
【発明の効果】
【０００８】
本発明によれば、制御基板に対する不正行為をより確実に防止することが可能である。
【図面の簡単な説明】
【０００９】
【図１】本実施形態に係る主制御基板ケースユニットを備えたぱちんこ遊技機の斜視図である。
【図２】上記ぱちんこ遊技機の背面図である。
【図３】上記主制御基板ケースユニットの分解斜視図である。
【図４】上記主制御基板ケースユニットにおけるロック機構を構成するボトム側係合部を示す図であり、（ａ）は斜視図、（ｂ）は平面図、（ｃ）は（ｂ）における矢印ｃ‐ｃ部分の断面図である。
【図５】上記ロック機構を構成するトップ側係合部を示す図であり、（ａ）は上方から見た斜視図、（ｂ）は平面図、（ｃ）は（ｂ）における矢印ｃ‐ｃ部分の断面図である。
【図６】上記トップ側係合部を示す図であり、（ａ）は下方から見た斜視図、（ｂ）は（ａ）と異なる角度において下方から見た斜視図である。
【図７】上記ロック機構を構成するキャップ部材を示す図であり、（ａ）は斜視図、（ｂ）は側面図である。
【図８】上記ロック機構を構成するガード部材を示す図であり、（ａ）は斜視図、（ｂ）は平面図である。
【図９】（ａ）は上記ボトム側係合部にガード部材を挿入する以前の状態を示す斜視図、（ｂ）はガード部材を挿入した状態を示す斜視図である。
【図１０】（ａ）は上記トップ側係合部にロック部材を挿入する以前の状態を示す斜視図、（ｂ）はロック部材を挿入した状態を示す斜視図である。
【図１１】（ａ）は上記ボトム側係合部にトップ側係合部を係合させる以前の状態を示す斜視図、（ｂ）はトップ側係合部を係合させる途中の状態を示す斜視図である。
【図１２】（ａ）は上記ボトム側係合部にトップ側係合部を係合させた状態においてキャップ部材を装着する以前の状態を示す斜視図、（ｂ）はキャップ部材を装着した状態を示す斜視図である。
【図１３】（ａ）は上記ロック部材およびボトム側係合部の押圧部の関係を説明するための断面図、（ｂ）は上記キャップ部材を装着する以前の状態を示す断面図である。
【図１４】上記キャップ部材、ロック部材およびボトム側係合部の押圧部の関係を説明するための断面図であり、（ａ）は上記キャップ部材を装着する途中の状態を示す断面図、（ｂ）はキャップ部材を装着した状態を示す断面図である。
【図１５】（ａ）上記主制御基板ケースユニットを開放させるためにトップ側係合部の一部を切断する以前の状態を示す斜視図、（ｂ）は上記トップ側係合部の一部を切断した状態を示す斜視図である。
【発明を実施するための形態】
【００１０】
以下、本発明の好ましい実施形態について図面を参照して説明する。本発明に係る基板ケースユニットを備えた遊技機の代表例として、ぱちんこ遊技機ＰＭの斜視図および背面図を図１および図２に示しており、まず、これらの図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａおよび下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１５】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉および着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００および演出制御基板ケースユニット２００が裏セットカバー３０Ｃにより覆われる）。
【００１６】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１７】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射および払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００１９】
［主制御基板ケースユニットの構成］
次に、本実施形態に係る主制御基板ケースユニット１００の構成について図３〜図１５を用いて説明する。なお、図４〜図６、図９〜１２および図１５においては、説明の理解を容易にするために、主制御基板ケースユニット１００から要部のみを切り離した状態でこれらのみを取り出して図示している。また、以降の説明においては、説明の便宜のため、上下、前後および左右の方向は図３の状態を基準にして定義し、図３に示す矢印の方向をそれぞれ上下方向、前後方向および左右方向と称して説明する。
【００２０】
主制御基板ケースユニット１００は、図３に示すように、ぱちんこ遊技機ＰＭにおける制御の中枢を担う前述の主制御基板４１と、主制御基板４１を内部に収容する略矩形箱状の基板ケース１１０と、基板ケース１１０を閉止状態でロックするロック機構１４０とを有して構成されている。
【００２１】
主制御基板４１は、詳細図示を省略しているが、矩形状のプリント配線板を基板として種々の半導体デバイスや抵抗、コンデンサ、コネクタ等の電子・電気部品が実装されて構成されている。この主制御基板４１は、基板ケース１１０（後述するトップケース１３０）の内面にネジ止め固定される。
【００２２】
基板ケース１１０は、遊技盤１０の背面に着脱されるボトムケース１２０と、このボトムケース１２０に着脱自在に取り付けられるトップケース１３０とを備えて構成されている。ボトムケース１２０およびトップケース１３０は、透明な樹脂材料（例えば、ポリカーボネート等）を用いて射出成形等の成形手段により形成され、外部からでも基板ケース１１０内を視認可能に構成されている。
【００２３】
ボトムケース１２０は、矩形板状の基壁１２０ａおよび基壁１２０ａの周縁から立設された前後左右の側壁１２０ｂを有し、全体として上面が開放された矩形箱状に形成されている。前後の側壁１２０ｂの外面には複数の取付溝１２１が形成されている。取付溝１２１は、上方に開口する挿入溝部１２１ａと挿入溝部１２１ａの下部から右方に延びる係止溝部１２１ｂとから構成され、前後方向から見たときにＬ字状に形成されている。
【００２４】
トップケース１３０は、矩形板状の基壁１３０ａおよび基壁１３１ａの周縁から下方に立設された前後左右の側壁１３０ｂを有し、全体として下面が開放された矩形箱状に形成されている。前後の側壁１３０ｂの内面には、ボトムケース１２０の取付溝１２１と同じ数および同じ配置間隔の取付突起１３１が形成されている。トップケース１３０は、取付突起１３１をボトムケース１２０の取付溝１２１（挿入溝部１２１ａ）に上方から挿入してボトムケース１２０の上方開口を覆い、その後、ボトムケース１２０に対してトップケース１３０を右方（閉止方向）にスライド移動させて取付突起１３１を取付溝１２１の係止溝部１２１ｂに挿入させることにより、ボトムケース１２０に閉止状態で装着（保持）されるように構成されている。
【００２５】
基板ケース１１０は、このようにトップケース１３０がボトムケース１２０に閉止状態で装着され、ボトムケース１２０およびトップケース１３０に囲まれて形成されるケース内部に主制御基板４１を収容するように構成されている。このように主制御基板４１を収容した状態において、ボトムケース１２０に対してトップケース１３０が左方（開放方向）にスライド移動することを規制して基板ケース１１０を閉止状態でロックするロック機構１４０が設けられている。
【００２６】
なお、トップケース１３０には、主制御基板４１のコネクタ（図示省略）の実装位置に対応して表裏貫通するコネクタ挿抜口（図示せず）が形成されており、主制御基板４１が基板ケース１１０内に収容された状態において、主制御基板４１のコネクタがコネクタ挿抜口を通して外部に露出し、演出制御基板４２や払出制御基板４３等とハーネス（コネクタケーブル）を介して電気接続可能となる。
【００２７】
ロック機構１４０は、ボトムケース１２０の右側の側壁１２０ｂに形成されたボトム側係合部１５０と、トップケース１３０の右側の側壁１３０ｂに形成され、トップケース１３０がボトムケース１２０に装着された状態においてボトム側係合部１５０と係合するトップ側係合部１６０と、矩形平板状のロック部材１４５（図１０を参照）と、トップ側係合部１６０に装着されるキャップ部材１４６（図１２を参照）と、ボトム側係合部１５０に装着されるガード部材１４７（図９を参照）とを有して構成されている。
【００２８】
ボトム側係合部１５０は、図３および図４に示すように、ボトムケース１２０の基壁１２０ａに一体に繋がる矩形板状の基壁１５０ａ、および基壁１５０ａの周縁から立設されボトムケース１２０の右側の側壁１２０ｂに一体に繋がる前後および右側の側壁１５０ｂを有して構成されている。基壁１５０ａの上面略中央には、前後左右の側壁１５１ａを有し上方に開口した略矩形枠状のボトム側挿入部１５１が形成されている。後側の側壁１５１ａは、前側の側壁１５１ａよりも高さが低く形成されている。ボトム側挿入部１５１の内部には、基壁１５０ａの上面に立設され左右方向の延びる平板状の押圧部１５２が形成されている。押圧部１５２の後面上端部には、下方にいくにつれて押圧部１５２の厚みが厚くなるように傾斜した傾斜面１５２ａが形成されている。
【００２９】
トップ側係合部１６０は、図３、図５および図６に示すように、トップケース１３０の基壁１３０ａに一体に繋がる矩形板状の基壁１６０ａ、および基壁１６０ａの周縁から下方に立設されトップケース１３０の右側の側壁１３０ｂに一体に繋がる前後および右側の側壁１６０ｂを有して構成されている。右側の側壁１６０ｂの略中央には、トップケース１３０をボトムケース１２０に対してスライド移動させて取り付けるときに、ボトム側係合部１５０のボトム側挿入部１５１と衝突するのを防ぐため、下方に開口しボトム側挿入部１５１の左右の側壁１５１ａに対応した形状の切欠き１６０ｃ（凹部）が形成されている。
【００３０】
トップ側係合部１６０の基壁１６０ａの上面には、矩形凹状のキャップ装着凹部１６１が形成されている。キャップ装着凹部１６１の底面には、上下貫通した挿入孔１６２ａおよび挿入孔１６２ａの前後において下方に立設され左右方向に延びる平板状の前後の挿入壁１６２ｂから構成されたトップ側挿入部１６２が形成されている。挿入孔１６２ａは、上端部が上方にいくにつれて広がるように形成されている。
【００３１】
キャップ装着凹部１６１の底部下面には、後側の挿入壁１６２ｂの後方位置（後方近傍位置）において下方に立設され左右方向に延びる平板状の後壁１６３と、前後の挿入壁１６２ｂおよび後壁１６３の左右端部において下方に立設され前後方向に延びる左右の係合壁１６４とが形成されている。後壁１６３の下方への長さは挿入壁１６２ｂよりも下方に長く形成されている。左右の係合壁１６４は、前後の挿入壁１６２ｂおよび後壁１６３の左右端部と繋がっている。後側の挿入壁１６２ｂと後壁１６３の間には上下に延びる２つのリブ１６３ａが形成されている。また、キャップ装着凹部１６１の底部下面には、前側の挿入壁１６２ｂの前方位置（前側の側壁１６０ｂとの間の位置）において下方に立設され左右方向延びる平板状の前壁１６５が形成されている。前壁１６５の左右端部はそれぞれ後方に屈曲されて若干延びており、前壁１６５の下方への長さは挿入壁１６２ｂと略同等の長さに形成されている。
【００３２】
トップ側係合部１６０の基壁１６０ａの上面には、キャップ装着凹部１６１の前後左右を取り囲む位置において上下貫通した複数の貫通孔１６６が並んで形成されている。これらの貫通孔１６６は、ロック機構１４０により閉止状態でロックされた基板ケース１１０を開放させるときに切断される切断部になっている。
【００３３】
ロック部材１４５は、図１０に示すように、トップ側係合部１６０のトップ側挿入部１６２に挿入可能な大きさの矩形平板状に形成されている。キャップ部材１４６は、図７に示すように、トップ側係合部１６０のキャップ装着凹部１６１に挿入可能な大きさの矩形平板状のキャップ本体１４６ａと、キャップ本体１４６ａの下面から下方に立設されトップ側挿入部１６２に挿入可能な大きさの矩形平板状の脚部１４６ｂとを有して構成されている。
【００３４】
ガード部材１４７は、図８および図９に示すように、ボトム側挿入部１５１の前後左右の側壁１５１ａに対応した形状の前後左右のガード壁１４７ａを有し、上下に開口した略矩形枠状に形成されている。ガード部材１４７の底面部には、前後のガード壁１４７ａの下端部を内側に折り曲げて形成された前後の底壁１４７ｂが設けられている。ガード部材１４７は、金属材料を用いて形成されている。ガード部材１４７は、ボトム側挿入部１５１内に挿入され、ボトム側挿入部１５１の内面を覆うように構成されている。
【００３５】
［主制御基板ケースユニットの作用］
次に、このように構成される主制御基板ユニット１００の作用について、図３および図９〜図１５を用いて説明する。主制御基板ケースユニット１００を組み立てるには、まず始めに、トップケース１３０の内面側に主制御基板４１をネジ止め固定してトップケース１３０に主制御基板４１を取り付ける。また、図９に示すように、ボトムケース１２０のボトム側係合部１５０において、ボトム側挿入部１５１内にガード部材１４７を挿入する。さらに、図１０に示すように、トップケース１３０のトップ側係合部１６０において、トップ側挿入部１６２内にロック部材１４５を挿入する。
【００３６】
そして、図３に示すように、トップケース１３０の取付突起１３１をボトムケース１２０の取付溝１２１（挿入溝部１２１ａ）に上方から挿入してトップケース１３０によってボトムケース１２０の上方開口を覆い、その後、ボトムケース１２０に対してトップケース１３０を右方（閉止方向）にスライド移動させて取付突起１３１を取付溝１２１の係止溝部１２１ｂに挿入させる。これによりトップケース１３０がボトムケース１２０に閉止状態で保持（装着）され、ボトムケース１２０およびトップケース１３０に囲まれて形成されるケース内部に主制御基板４１が収容される。またこのとき、図１１および図１２に示すように、ボトム側係合部１５０とトップ側係合部１６０が係合し、ボトム側挿入部１５１とトップ側挿入部１６２が前後左右方向において整合した位置となり上下に対向する。なお、このようにボトム側およびトップ側挿入部１５１，１６２が上下に対向した状態となった後に、ロック部材１４５をトップ側挿入部１６２に挿入するようにしてもよい。
【００３７】
続いて、図１２に示すように、キャップ部材１４６をトップ側係合部１６０のキャップ装着凹部１６１に装着し、例えば超音波溶着や振動溶着などの所定の溶着手段によってキャップ部材１４６をキャップ装着凹部１６１内に溶着固定する。なお、このような溶着固定ではなく、例えばフェノール樹脂系やエポキシ系の接着剤などを用いて接着固定するようにしてもよい。キャップ部材１４６をキャップ装着凹部１４６に装着すると、キャップ部材１４６のキャップ本体１４６ａがキャップ装着凹部１６１内に入り込んだ状態となる。
【００３８】
このようにキャップ部材１４６をキャップ装着凹部１６１内に装着するときには、図１３および図１４に示すように、トップ側挿入部１６２内に挿入されたロック部材１４５の上面がキャップ部材１４６の脚部１４６ｂの下面に押され、ロック部材１４５がトップ側挿入部１６２からボトム側挿入部１５１内に挿入されていく。このとき、ロック部材１４５の下面がボトム側挿入部１５１内の押圧部１５２の傾斜面１５２ａに当接し、押圧部１５２の上部が前方に移動するように押圧部１５２が撓む。そして、ロック部材１４５がボトム側挿入部１５１内に完全に挿入されると、押圧部１５２の復元力によりロック部材１４５がボトム側挿入部１５１内においてトップ側挿入部１６２による挿入方向から後方にずれた位置（後側の挿入壁１６２ｂの下方位置）に配置される。
【００３９】
このとき、ロック部材１４５の前後面が、押圧部１５２とボトム側挿入部１５１内に挿入されたガード部材１４７の後側のガード壁１４７ａの内面とに挟まれて係合し、ロック部材１４５の前後方向への移動が規制される。そのため、キャップ部材１４６をキャップ装着凹部１６１から取り外したとしても、ロック部材１４５をトップ側挿入部１６２から引き抜くことは不可能となる。また、ロック部材１４５の左右面が、ボトム側挿入部１５１の左右の側壁１５１ａとトップ側係合部１６０の左右の係合壁１６４とに挟まれて係合する。特に、ロック部材１４５の左面がボトム側挿入部１５１の左側の側壁１５１ａと係合し、ロック部材１４５の右面がトップ側係合部１６０の右側の係合壁１６４と係合することにより、ボトムケース１２０に対してトップケース１３０が左方（開放方向）にスライド移動することが規制される。その結果、ボトムケース１２０とトップケース１３０が閉止状態且つロック状態で一体化され、主制御基板ケースユニット１００が組み立てられることとなる。
【００４０】
このように組み立てられた主制御基板ケースユニット１００では、ボトムケース１２０に対してトップケース１３０を開放方向（左方）にスライド移動させようすると、上記のようにロック部材１４５の左面がボトム側挿入部１５１の左側の側壁１５１ａと係合（当接）し、ロック部材１４５の右面がトップ側係合部１６０の右側の係合壁１６４と係合（当接）することにより規制されるので、ボトムケース１２０に対してトップケース１３０を開放方向にスライド移動させることはできない。そのため、基板ケース１１０が閉止状態且つロック状態に保持され、基板ケース１１０の不正な開放が防止される。
【００４１】
次に、基板ケース１１０を開放するには、図１５に示すように、トップ側係合部１６０において、キャップ装着凹部１６１の前後左右を取り囲む位置に並んで形成された複数の貫通孔１６６の間を繋ぐ全ての連結部分（図１５(ａ)において楕円によって示した部分）をニッパー等の工具を用いて切断し、キャップ装着凹部１６１、トップ側挿入部１６２、後壁１６３、左右の係合壁１６４、前壁１６５およびキャップ部材１４６をトップ側係合部１６０の基壁１６０ａから切り離す。このように切り離されると、ロック部材１４５とトップ側係合部１６０の右側の係合壁１６４と係合がなくなるため、ボトムケース１２０に対してトップケース１３０が開放方向（左方）にスライド移動可能となり、基板ケース１１０が開放可能な状態となる。
【００４２】
以上、本実施形態に係る主制御基板ケースユニット１００によれば、単体ではロック構造（例えば、ロック爪等）を有していない平板形状のロック部材１４５を、ボトムケース１２０に形成されたボトム側係合部１５０のボトム側挿入部１５１およびトップケース１３０に形成されたトップ側係合部１６０のトップ側挿入部１６２に挿入し、そのロック部材１４５がボトム側およびトップ側挿入部１５１，１６２の壁面（側壁１５１ａおよび係合壁１６４）に係合することにより、ボトムケース１２０に対してトップケース１３０が開放方向にスライド移動することが規制される構成である。そのため、基板ケース１１０の不正な開放を防止して、主制御基板４１に対する不正な改造行為を受け難くすることが可能である。また、ロック部材１４５が平板形状であるため、例えば各種情報が格納されたＩＣチップ等をロック部材１４５に配設することが容易であり、これによりロック部材１４５の複製を困難にすることができるとともに、不正行為の予防および早期発見に寄与することが可能となる。また、例えば、ロック部材１４５を、ＩＣチップを実装した電子基板によって構成することもできる。
【００４３】
また、ボトム側挿入部１５１内において、押圧部１５２によりロック部材１４５をトップ側挿入部１６２による挿入方向（上下方向）から後方にずれた位置に配置させる構成であるため、キャップ部材１４６をキャップ装着凹部１６１から取り外したとしても、ロック部材１４５をトップ側挿入部１６２から引き抜くことは不可能となる。したがって、基板ケース１１０の不正な開放を確実に防止することができる。
【００４４】
また、キャップ部材１４６が、キャップ装着凹部１６１内に装着されるときに、トップ側挿入部１６２内に挿入されたロック部材１４５を押してボトム側挿入部１５１内に挿入させる脚部１４６ｂを有する構成であるため、ロック部材１４５をボトム側挿入部１５１内に挿入させるために工具等を用いる必要がなく、キャップ部材１４６の装着とともにロック部材１４５をボトム側挿入部１５１内に挿入させることができる。
【００４５】
また、ボトム側挿入部１５１の内面を覆う金属製のガード部材１４７を有する構成であるため、例えば、ドリル等の工具を用いてボトム側係合部１５０の基壁１５０ａに外部から穴を空けてロック部材１４５を取り出そうとしても、このガード部材１４７が邪魔となり、このような不正行為を受け難くすることができる。また、ガード部材１４７の厚さを変更することにより、ボトム側挿入部１５１の内部空間の広さを調整することができ、これにより、ロック部材１４５を挿入するときの抵抗の大きさ（差し込み易さ）や、ボトム側挿入部１５１内でのロック部材１４５のガタツキ度合を調整することができる。
【００４６】
また、基板ケース１１０を開放するには、上記のようにキャップ装着凹部１６１、トップ側挿入部１６２、後壁１６３、左右の係合壁１６４、前壁１６５およびキャップ部材１４６をトップ側係合部１６０の基壁１６０ａから切り離さなければならない構造である。そのため、基板ケース１１０が開放された場合には、その痕跡を明瞭に残像させて当該不正行為を早期に発見することができるとともに、基板ケース１１０の構成部品を破壊痕のない状態で使い回すことができなくなる。したがって、複数の中古機等から同型の基板ケース（１１０）を取り出し、これらの中からケース構成部品を無傷の状態でそれぞれ抽出して適宜に組み合わせることにより、１個の新たな基板ケース（１１０）を複製し、これを正規品とすり替える、所謂二個一（ニコイチ）と称される不正行為を未然に防止することが可能である。
【００４７】
なお、本発明は、上記実施形態に限定されるものではなく、本発明の要旨を逸脱しない範囲であれば適宜改良可能である。上述の実施形態では、基板ケース１１０に一つのロック機構１４０が設けられた構成について説明したが、複数のロック機構１４０を設ける構成としてもよい。
【００４８】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【００４９】
４１  主制御基板
１００  主制御基板ケースユニット
１１０  基板ケース
１２０  ボトムケース（第１ケース部材）
１３０  トップケース（第２ケース部材）
１４５  ロック部材
１４６  キャップ部材
１４６ｂ  脚部
１４７  ガード部材
１５０  ボトム側係合部（第１係合部）
１５１  ボトム側挿入部（第１挿入部）
１５２  押圧部
１６０  トップ側係合部（第２係合部）
１６２  トップ側挿入部（第２挿入部）
【図１】
2015202154.tif 000003
【図２】
2015202154.tif 000004
【図３】
2015202154.tif 000005
【図４】
2015202154.tif 000006
【図５】
2015202154.tif 000007
【図６】
2015202154.tif 000008
【図７】
2015202154.tif 000009
【図８】
2015202154.tif 000010
【図９】
2015202154.tif 000011
【図１０】
2015202154.tif 000012
【図１１】
2015202154.tif 000013
【図１２】
2015202154.tif 000014
【図１３】
2015202154.tif 000015
【図１４】
2015202154.tif 000016
【図１５】
2015202154.tif 000017